(57)【要約】【課題】シート状遮蔽部材を効率よく設置することができる簡易建築物を提供する。【解決手段】複数本の支柱１の上部に箱体５が差し渡されて取付けられた簡易建築物Ｐであって、前記箱体５は前面カバー材５１と背板材５２とを備え、前記前面カバー材５１は背面側の一面のみ開口された直方体状に形成されると共に、その下面板５１１には長手方向に切り欠かれた切欠部５１２が設けられ、該切欠部５１２が開閉可能な蓋５３により塞がれ、そして軸芯材６１に巻き付けられたシート状遮蔽材６が前記箱体５に内蔵され外方から見えない様に隠蔽されており、前記蓋５３を開状態にして前記シート状遮蔽材６を取り出し・収納可能とする。【選択図】        図１
2018066214.tif 000002
【特許請求の範囲】
【請求項１】
複数本の支柱の上部に箱体が差し渡されて取付けられた簡易建築物であって、前記箱体は前面カバー材と背板材とを備え、前記前面カバー材は背面側の一面のみ開口された直方体状に形成されると共に、その下面には長手方向に切り欠かれた切欠部が設けられ、該切欠部が開閉可能な蓋により塞がれ、そして軸芯材に巻き付けられたシート状遮蔽材が前記箱体に内蔵され外方から見えない様に隠蔽されており、前記蓋を開状態にして前記シート状遮蔽材を取り出し・収納可能としていることを特徴とする簡易建築物。
【請求項２】
前記蓋は前後に摺動可能となされていることを特徴とする請求項１に記載の簡易建築物。
【発明の詳細な説明】
【技術分野】
【０００１】
本発明は、公園などに設置された東屋やパーゴラなどの簡易建築物に関するものである。
【背景技術】
【０００２】
従来、公園などに設置された東屋やパーゴラなどの簡易建築物としては、平面視で矩形状の屋根部材と、第１及び第２収納ユニットと、第１及び第２透明壁と、床部材と、を備える多機能待合所であって、前記第２収納ユニットには、災害用トイレキット、災害用救急用品、及びテントセットからなる群から選ばれる少なくとも１以上の災害用品が収納されており、前記テントセットは、シート状遮蔽部材、前記シート状遮蔽部材を前記複数の貫通孔に取り付けるための所定の部材と、を含み、前記シート状遮蔽部材は、前記外枠に所定の部材で取り付けるための取り付け部と、隣接するシート状遮蔽部材と着脱自在に接着するための接着部と、前記外枠の前記複数の貫通孔に、所定の部材で取り付けられたときに所定の大きさの面積で地面に接地する裾部と、を備え、前記多機能待合所の周囲全面を覆うように構成されており、少なくとも１枚のシート状遮蔽部材は、通気を確保するための空気流通部と、開閉自在な出入口を備えている多機能待合所である簡易建築物が提案されている（特許文献１）。
【先行技術文献】
【特許文献】
【０００３】
【特許文献１】登録実用新案公報第３１９９５９０号
【発明の開示】
【発明が解決しようとする課題】
【０００４】
しかしながら上記多機能待合所は、第２収納ユニット内に収納されたテントセットを構成するシート状遮蔽部材を、第２収納ユニットから取り出して、多機能待合所を構成する外枠に取付ける作業を行って、前記多機能待合所の周囲全面を覆うように構成されているので、前記シート状遮蔽部材を前記第２収納ユニットから取り出して、多機能待合所の所定の場所に取付ける作業が必要となり、前記シート状遮蔽部材を設置するのに少々手間を要する構造となっている。
【０００５】
本発明は、前記の如き問題点を解消し、シート状遮蔽部材を効率よく設置することができる簡易建築物を提供せんとするものである。
【課題を解決するための手段】
【０００６】
上記目的を達成するために、本発明は次のような構成としている。
すなわち、本発明に係る簡易建築物は、複数本の支柱の上部に箱体が差し渡されて取付けられた簡易建築物であって、前記箱体は前面カバー材と背板材とを備え、前記前面カバー材は背面側の一面のみ開口された直方体状に形成されると共に、その下面には長手方向に切り欠かれた切欠部が設けられ、該切欠部が開閉可能な蓋により塞がれ、そして軸芯材に巻き付けられたシート状遮蔽材が前記箱体に内蔵され外方から見えない様に隠蔽されており、前記蓋を開状態にして前記シート状遮蔽材を取り出し・収納可能としていることを特徴とするものである。
【０００７】
また本発明に係る簡易建築物は、前記蓋を前後に摺動可能となるようにしてもよい。
【発明の効果】
【０００８】
本発明に係る簡易建築物によれば、前記箱体は前面カバー材と背板材とを備え、前記前面カバー材は背面側の一面のみ開口された直方体状に形成されると共に、その下面には長手方向に切り欠かれた切欠部が設けられ、該切欠部が開閉可能な蓋により塞がれ、そして軸芯材に巻き付けられたシート状遮蔽材が前記箱体に内蔵され外方から見えない様に隠蔽されており、前記蓋を開状態にして前記シート状遮蔽材を取り出し・収納可能としているので、前記蓋を開状態にして前記切欠部から前記シート状遮蔽材を取り出すことができ、前記シート状遮蔽材を効率よく設置することができる。
【０００９】
また本発明に係る簡易建築物によれば、前記蓋が前後に摺動可能となされているので、前記シート状遮蔽材を箱体から取り出す際、わざわざ前記蓋を取り外す必要がなく、摺動させるだけで前記箱体に内蔵されている前記シート状遮蔽材を効率よく取り出すことができ、好ましい。
【図面の簡単な説明】
【００１０】
【図１】本発明に係る簡易建築物の一つの実施形態を示す側面図であって、シート状遮蔽材が箱体に収納されている状態を示す。
【図２】図１の正面図である。
【図３】図１の下面図である。
【図４】図１において、シート状遮蔽材が箱体から取り出された状態を示す。
【図５】図１の主要部の部分拡大図である（シート状遮蔽材が箱体に収納された状態を示す）。
【図６】図４の主要部の部分拡大図である（シート状遮蔽材が箱体から取り出された状態を示す）。
【図７】本発明に係る前面カバー材の、（ａ）は正面図、（ｂ）は平面図、（ｃ）は底面図、（ｄ）は側面図である。
【図８】本発明に係る背板材の、（ａ）は正面図、（ｂ）は平面図、（ｃ）は側面図である。
【図９】本発明に係る蓋の、（ａ）は平面図、（ｂ）は背面図、（ｃ）は側面図である。
【図１０】図１に示す本発明に係る簡易建築物の斜視図であり、シート状遮蔽材が箱体に収納された状態を示す。
【図１１】図１に示す本発明に係る簡易建築物の斜視図であり、シート状遮蔽材が箱体から取り出された状態を示す。
【発明を実施するための形態】
【００１１】
次に、本発明を実施するための形態について図面を参照し、具体的に説明する。なお、本実施形態はあくまでも本発明を理解するための一例を示したに過ぎず、各部の形状、構造、材質等に関し、本実施形態以外のバリエーションが、本発明の要旨を逸脱しない範囲内で許容されていることは言うまでもない。また、各図面に記載の前（正面）後（背面）左右上下の方向を明細書でも表記している。
【００１２】
図面において、１は本発明に係る簡易建築物Ｐを構成する４本の支柱であり、その上端には梁材２と桁材３とがそれぞれ架け渡され、それらの上に屋根材４が取付けられている。そして、前記支柱１の上部外面に、箱体５が４本の前記支柱１を囲繞するように四辺に差し渡されて、取付金具Ｋを介して支柱１に箱体５が取付けられている。
【００１３】
前記箱体５は前面カバー材５１と背板材５２とを備えている。そして、この箱体５の中には、軸芯材６１に巻き付けられたシート状遮蔽材６が内蔵され外方から見えない様に隠蔽されている。
【００１４】
前記前面カバー材５１は、背面側の一面のみ開口された前面板５１３、側面板５１４、下面板５１１、上面板５１５で形成された直方体状に形成されると共に、その下面板５１１には長手方向に切り欠かれた切欠部５１２が設けられ、該切欠部５１２が開閉可能な蓋５３により塞がれている。また、前記前板カバー材５１の上面板５１５から上方に向けて接合板５１６が突設されている。
【００１５】
前記背板材５２は、背面板部５２１の上端から前方に突設された上面板部５２２と、該上面板部５２２の前端から上方に向けて突設された接合板部５２３とで形成されている。
【００１６】
そして、前記接合板５１６と前記接合板部５２３とが当接されネジ留めされて、前記前面カバー材５１の背面側の開口された部分が前記背板材５２により塞がれて前記箱体５が形成され、よって、前記箱体５に内蔵されている前記シート状遮蔽材６は、外方から見えない様になされている。これにより、前記シート状遮蔽材６は太陽光の紫外線や風雨に曝されることなく、劣化を防止することができる。
【００１７】
前記蓋５３は、縦長の長方形状の平板状の底板部５３１と、その底板部５３１の長手方向の一端が側面視でＬ字状になるよう折り返された当接板部５３２から形成されている。前記蓋５３が閉状態の時、この当接板部５３２は、前記背板材５２の背面板５２１の下端部に当接するようになっており、この当接板部５３２には所定の間隔をあけて丸孔５３３が複数個設けられて、前記背板材５２とネジ留めされて固定されている。
【００１８】
また前記蓋５３には、長手方向に直交する方向に所定の間隔をあけて４個の長孔５３４が形成されている。前記蓋５３が閉状態の時、この長孔５３４にネジが挿通されて、前記蓋５３と前記前面カバー５１の下面板５１１とがネジ留めされている。そして、前記蓋５３を開状態にして、前記シート状遮蔽材６を取り出す時には、前記当接板部５３２と背板材５２とを留めているネジと、前記蓋５３と前記前面カバー５１の下面板５１１とを留めているネジとを緩め、前記蓋５３を後方に摺動させて開口させ、そこから前記シート状遮蔽材６を取り出す。
【００１９】
また前記シート状遮蔽材６を収納する時には、上述と逆の作業を行い、すなわち、前記シート状遮蔽材６を軸芯材６１に巻き付けた後、前記蓋５３を前方に摺動させ前記当接板部５３２を前記背板材５２に当接させ、前記当接板部５３２と背板材５２とを止めているネジと、前記蓋５３と前記前面カバー５１の下面板５１１とを止めているネジとを締め込み、前記シート状遮蔽材６を前記箱体５の中への収納を完了する。
【００２０】
なお、前記シート状遮蔽材６の下端部には錘材６２が取付けられており、前記シート状遮蔽材６を前記蓋５３を摺動させて開口させて取り出された状態で、風などにより捲れ上がることがないようになされている。
【００２１】
本発明に係る簡易建築物Ｐには、上記の様にその４つの側面に前記箱体５が取付けられており、例えば災害発生時に前記箱体５内に収納されている前記シート状遮蔽材６を上述の様に取り出すと、簡易建築物Ｐの内部を隠蔽することができるようになされている。
【符号の説明】
【００２２】
１    支柱
２    梁材
３    桁材
４    屋根材
５    箱体
５１  前面カバー材
５１１  下面板
５１２  切欠部
５２  背板材
５２１  背面板部
５２２  上面板部
５２３  接合板部
５３  蓋
５３１  底板部
５３２  当接板部
５３３  丸孔
５３４  長孔
６    シート状遮蔽材
６１  軸芯材
６２  錘材
Ｋ    取付金具
【図１】
2018066214.tif 000003
【図２】
2018066214.tif 000004
【図３】
2018066214.tif 000005
【図４】
2018066214.tif 000006
【図５】
2018066214.tif 000007
【図６】
2018066214.tif 000008
【図７】
2018066214.tif 000009
【図８】
2018066214.tif 000010
【図９】
2018066214.tif 000011
【図１０】
2018066214.tif 000012
【図１１】
2018066214.tif 000013